【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
作動流体が封入されたシリンダと、
前記シリンダ内に摺動可能に嵌装され、該シリンダ内をロッド側室とボトム側室とに区画するピストンと、
前記ピストンに一端が連結されると共に他端が前記シリンダの外部に延出されたピストンロッドと、
前記ピストンロッドの一端側に設けられたハウジングと、
前記ハウジング内に軸方向の一側および他側に移動自在に挿入されたフリーピストンと、
前記ロッド側室と前記ハウジング内の前記フリーピストンによって画成された圧力室とを連通するロッド通路と、
前記ロッド側室とボトム側室とを連通する通路に設けられた減衰バルブとからなる緩衝器において、
前記フリーピストンには、前記ロッド通路の圧力室側開口の開口面積を前記フリーピストンの移動に応じて調整するシャッタ部材が設けられ、
前記シャッタ部材は、前記フリーピストンから突出し、前記圧力室開口に進入可能な形状であり、
前記シャッタ部材は、前記圧力室開口との間で、前記フリーピストンが中立位置にあるときの前記圧力室開口の開口面積よりも、前記フリーピストンが前記中立位置から軸方向の一側および他側のいずれに移動したときでも前記圧力室開口の開口面積の方が小さくなるように構成されていることを特徴とする緩衝器。
【請求項２】
作動流体が封入されたシリンダと、
前記シリンダ内に摺動可能に嵌装され、該シリンダ内をロッド側室とボトム側室とに区画するピストンと、
前記ピストンに一端が連結されると共に他端が前記シリンダの外部に延出されたピストンロッドと、
前記ピストンロッドの一端側に設けられたハウジングと、
前記ハウジング内に軸方向の一側および他側に移動自在に挿入されたフリーピストンと、
前記ロッド側室と前記ハウジング内の前記フリーピストンによって画成された圧力室とを連通するロッド通路と、
前記ロッド側室とボトム側室とを連通する通路に設けられた減衰バルブとからなる緩衝器において、
前記フリーピストンには、前記ロッド通路の圧力室側開口の開口面積を前記フリーピストンの移動に応じて調整するシャッタ部材が設けられ、
前記シャッタ部材は、前記フリーピストンから突出し、前記圧力室側開口に進入可能な形状であり、
前記シャッタ部材は、前記圧力室開口との間で、前記フリーピストンが中立位置にあるときの前記圧力室開口の開口面積よりも、前記フリーピストンが前記中立位置から軸方向の一側および他側のいずれに移動したときでも前記圧力室開口の開口面積の方が大きくなるように構成されていることを特徴とする緩衝器。
【請求項３】
作動流体が封入されたシリンダと、
前記シリンダ内に摺動可能に嵌装され、該シリンダ内をロッド側室とボトム側室とに区画するピストンと、
前記ピストンに一端が連結されると共に他端が前記シリンダの外部に延出されたピストンロッドと、
前記ピストンロッドの一端側に設けられたハウジングと、
前記ハウジング内に軸方向の一側および他側に移動自在に挿入されたフリーピストンと、
前記ロッド側室と前記ハウジング内の前記フリーピストンによって画成された圧力室とを連通するロッド通路と、
前記ロッド側室とボトム側室とを連通する通路に設けられた減衰バルブとからなる緩衝器において、
前記フリーピストンには、前記ロッド通路の圧力室側開口の開口面積を前記フリーピストンの移動に応じて調整するシャッタ部材が設けられ、
前記シャッタ部材は、前記フリーピストンから突出し、前記圧力室開口に進入可能な形状であり、
前記シャッタ部材は、前記フリーピストンとは別部材で、前記フリーピストンとの間に前記フリーピストンから突出する長さを調整可能なスペーサを有することを特徴とする緩衝器。
【請求項４】
前記圧力室開口は、小径穴と、該小径穴の軸方向両側にあって前記小径穴から離れるほど大径となる一対のテーパ穴とによって形成されることを特徴とする請求項１乃至３のいずれか１項に記載の緩衝器。
【請求項５】
前記シャッタ部材は、一定径の軸方向長さを有する小径円筒面部と、該小径円筒面部の軸方向両側にあって前記小径円筒面部から離れるほど大径となる一対のテーパ面部とによって形成され、前記フリーピストンが前記中立位置から軸方向の一側および他側に移動したとき前記圧力室開口の開口面積の方が小さくなることを特徴とする請求項１乃至４のいずれか１項に記載の緩衝器。
【請求項６】
前記シャッタ部材は、大径部と、該大径部の軸方向両側にあって前記大径部よりも小径の一対の小径円筒面部とによって形成され、前記フリーピストンが前記中立位置から軸方向の一側および他側に移動したとき前記圧力室開口の開口面積の方が大きくなることを特徴とする請求項１乃至４のいずれか１項に記載の緩衝器。
【手続補正２】
【補正対象書類名】明細書
【補正対象項目名】０００６
【補正方法】変更
【補正の内容】
【０００６】
上記目的を達成するために、本発明は、シリンダ内をロッド側室とボトム側室とに区画するピストンと、前記ピストンに一端が連結されると共に他端が前記シリンダの外部に延出されたピストンロッドと、前記ピストンロッドの一端側に設けられたハウジングと、前記ハウジング内に軸方向の一側および他側に移動自在に挿入されたフリーピストンと、前記ロッド側室と前記ハウジング内の前記フリーピストンによって画成された圧力室とを連通するロッド通路と、前記ロッド側室とボトム側室とを連通する通路に設けられた減衰バルブとからなる緩衝器において、前記フリーピストンには、前記ロッド通路の圧力室側開口の開口面積を前記フリーピストンの移動に応じて調整するシャッタ部材が設けられ、前記シャッタ部材は、前記フリーピストンから突出し、前記圧力室開口に進入可能な形状であり、前記シャッタ部材を、前記圧力室開口との間で、前記フリーピストンが中立位置にあるときの前記圧力室開口の開口面積よりも、前記フリーピストンが前記中立位置から軸方向の一側および他側のいずれに移動したときでも前記圧力室開口の開口面積の方が小さくなるように構成した。
また、上記目的を達成するために、本発明は、シリンダ内をロッド側室とボトム側室とに区画するピストンと、前記ピストンに一端が連結されると共に他端が前記シリンダの外部に延出されたピストンロッドと、前記ピストンロッドの一端側に設けられたハウジングと、前記ハウジング内に軸方向の一側および他側に移動自在に挿入されたフリーピストンと、前記ロッド側室と前記ハウジング内の前記フリーピストンによって画成された圧力室とを連通するロッド通路と、前記ロッド側室とボトム側室とを連通する通路に設けられた減衰バルブとからなる緩衝器において、前記フリーピストンには、前記ロッド通路の圧力室側開口の開口面積を前記フリーピストンの移動に応じて調整するシャッタ部材が設けられ、前記シャッタ部材は、前記フリーピストンから突出し、前記圧力室開口に進入可能な形状であり、前記シャッタ部材を、前記圧力室開口との間で、前記フリーピストンが中立位置にあるときの前記圧力室開口の開口面積よりも、前記フリーピストンが前記中立位置から軸方向の一側および他側のいずれに移動したときでも前記圧力室開口の開口面積の方が大きくなるように構成した。
さらに、上記目的を達成するために、本発明は、シリンダ内をロッド側室とボトム側室とに区画するピストンと、前記ピストンに一端が連結されると共に他端が前記シリンダの外部に延出されたピストンロッドと、前記ピストンロッドの一端側に設けられたハウジングと、前記ハウジング内に軸方向の一側および他側に移動自在に挿入されたフリーピストンと、前記ロッド側室と前記ハウジング内の前記フリーピストンによって画成された圧力室とを連通するロッド通路と、前記ロッド側室とボトム側室とを連通する通路に設けられた減衰バルブとからなる緩衝器において、前記フリーピストンには、前記ロッド通路の圧力室側開口の開口面積を前記フリーピストンの移動に応じて調整するシャッタ部材が設けられ、前記シャッタ部材は、前記フリーピストンから突出し、前記圧力室開口に進入可能な形状であり、前記シャッタ部材は、前記フリーピストンとは別部材で、前記フリーピストンとの間に前記フリーピストンから突出する長さを調整可能なスペーサを有する構成とした。